(57)【要約】【課題】  ノーカーボン紙への印刷時、３つの紙種類（ＣＢ，ＣＦＢ，ＣＦ）を誤った用紙順序で印刷を防止する為に印刷用紙をスキャンする為の特別なハードウエアや、画像データ後に画像データ化されたページ番号を示す部分を認識して検出するといった複雑な処理が必ず必要となると言った問題がある。【解決手段】  特別なハードウエア等を必要とせず用紙種別同士の順序関係を元に誤った用紙順序のジョブ投入時の無駄な印刷を防止する。【選択図】  図２
2013208822.tif 000002
【特許請求の範囲】
【請求項１】
ノンカーボン紙を用いた用紙種別を組み合せて指定の順序で出力する印刷において、
給紙時に使用するページの用紙種別を記憶する手段と、
各用紙種類別に次に使用する用紙種類（用紙種別順序）を記憶する手段と、
前記記憶されたページの用紙種別を用いて、給紙前に前記用紙種別順序に合っているか判断する手段と指定の順序で給紙されない場合、印刷を一時停止しその旨を警告する警告手段を更に備えることを特徴とするプリンタ機能、ＦＡＸ機能、スキャナ機能、コピー機能のマルチファンクション機能を有する画像形成装置であるマルチファンクションデバイス（以降、ＭＦＰまたデバイス）。
【請求項２】
前記使用するページの用紙種別を該当ページＲＩＰ完了後に記憶する手段と、用紙種別順序の判断をＲＩＰ中に行う請求項１に記載の画像形成装置。
【請求項３】
プリンタドライバからの印刷設定時に前記用紙種別順序の確認をするシステムを含む印刷システム。
【請求項４】
排紙面の上向き下向きに応じて、用紙種別順序の判断を変更する前記判断手段を
備えることを特徴とする請求項１乃至請求項３の何れか１項に記載の画像形成装置または印刷システム。
【請求項５】
ノーカーボン紙印刷において、ノーカーボン紙以外の用紙が混在する場合、合紙を許可する設定の時にのみ、用紙種別順序の判断を変更する前記判断手段を備えることを特徴とする請求項１乃至請求項４の何れか１項に記載の画像形成装置または印刷システム。
【発明の詳細な説明】
【技術分野】
【０００１】
本発明はプリンタ機能、ファクシミリ機能、スキャン機能、コピー機能等のマルチファンクション機能も持つデジタル複写機やプリンタ等の  Ｍｕｌｔｉ  Ｆｕｎｃｔｉｏｎ  Ｐｅｒｉｐｈｅｒａｌデバイスの特にノンカーボン紙への印刷に関する物である。
【背景技術】
【０００２】
主に電子写真システムによって印刷する事が可能でかつ、印刷後従来のカーボン紙（複写用紙）と同様の用途に利用可能な用紙としてノンカーボン紙が普及している。
【０００３】
ノーカーボン紙の仕組みとしては、例えばボールペンの筆圧やドットプリンターの印字圧が加えられると、紙裏面に塗布してあるマイクロカプセル（発色剤）が壊れて無色染料が、紙表面に塗布してある顕色剤と化学反応を起こして発色する方式等がある（図１参照）。ノーカーボン紙は上用紙（以降ＣＦと呼ぶ）、中用紙（以降ＣＦＢと呼ぶ）、下用紙（ＣＦと呼ぶ）の３種類で構成され決められた組み合わせで重ねられた場合にのみ複写が可能となる。
【０００４】
よって、ＭＦＰでノーカーボン紙に印刷を行う場合は決められた用紙種別を正しい順番で印刷を行わなければならない。しかしながら、ユーザーの操作ミス等様々な理由でノーカーボン紙に印刷を行うジョブを投入時に誤った用紙順序のジョブが投入されてしまう可能性がある。その為、ノーカーボン紙への印刷時には誤った用紙順序で印刷を防止する仕組みが必要とされる。
【０００５】
誤った用紙順序で印刷を防止する仕組みとしてデバイスの給紙段に搭載されている用紙をスキャンし、その情報を元に用紙種別を自動識別できるユニットを搭載し誤った順序のジョブを検出する方法（例えば、特許文献１）や、印刷データ自体に印刷順序を示すデータ（ページ番号）を予め埋め込んでおき、画像データ化されたページ番号を示す部分を認識して誤った順序のジョブを検出する等の技術（例えば、特許文献２）が提案されている。
【０００６】
予め用紙種別毎に紙の種別を識別するマークを用紙本体に印刷しておき、そのマークを読み取る事で用紙順序を認識して誤った用紙順序での印刷を防止する方法や、印刷データ自体に印刷順序を示すデータを予め埋め込んでおき、印刷時にそのデータを識別する事で誤った用紙順序での印刷を防止する方法が存在する。
【先行技術文献】
【特許文献】
【０００７】
【特許文献１】特開平９−２５０２４号公報
【特許文献２】特開２００５−２５１０５０号公報
【発明の概要】
【発明が解決しようとする課題】
【０００８】
しかしながら前述従来技術では、ノーカーボン紙への印刷時、３つの紙種類（ＣＢ，ＣＦＢ，ＣＦ）を誤った用紙順序で印刷を防止する為に印刷用紙をスキャンする為の特別なハードウエアが必要である。また、画像データ後に画像データ化されたページ番号を示す部分を認識して検出するといった複雑な処理が必ず必要となると言った問題がある。
【課題を解決するための手段】
【０００９】
上述した課題を解決するために、本発明は、
ノンカーボン紙を用いた用紙種別を組み合せて指定の順序で出力する印刷において、
給紙時に使用するページの用紙種別を記憶する手段と、
各用紙種類別に次に使用する用紙種類（用紙種別順序）を記憶する手段と、
前記記憶されたページの用紙種別を用いて、給紙前に前記用紙種別順序に合っているか判断する手段と、
指定の順序で給紙されない場合、印刷を一時停止しその旨を警告する警告手段と、
前記使用するページの用紙種別を該当ページＲＩＰ完了後に記憶する手段と、
プリンタドライバからの印刷設定時に前記  用紙種別順序の確認をする手段と、
排紙面の上向き下向きに応じて、用紙種別順序の判断を変更する前記判断手段と、
ノーカーボン紙以外の用紙が混在する場合、合紙を許可する設定の時にのみ、用紙種別順序の判断を変更する前記判断手段を有することを特徴とする画像処理装置を含む印刷制御システムである。
【発明の効果】
【００１０】
ノーカーボン紙への印刷時、３つの紙種類（ＣＢ，ＣＦＢ，ＣＦ）を異なる給紙段に給紙した場合に、特別なハードウエアやページ順序情報を必要とせず用紙種別同士の順序関係を元に正しい用紙種別で印刷順序であるか判別する事が可能となる。その結果、誤った用紙順序のジョブが投入時無駄な印刷を防止する事が可能になる。
【図面の簡単な説明】
【００１１】
【図１】ノーカーボン用紙の説明図
【図２】第一の実施例におけるシステムの構成図
【図３】第一の実施例におけるＭＦＰの概要図
【図４】第一の実施例におけるＭＦＰの内部構成図
【図５】用紙種別管理テーブルの構造の例
【図６】用紙順序管理テーブルの構造の例
【図７】第一の実施例におけるＰＣの内部構成図
【図８】第一の実施例における印刷ジョブ生成のシーケンス
【図９】第一の実施例における印刷順序判定の全体シーケンス
【図１０】印刷対象のＭｅｄｉａＴｙｐｅがＣＢの際の排紙設定の判定シーケンス
【図１１】印刷対象のＭｅｄｉａＴｙｐｅがＣＢかつ、排紙設定がフェイスダウンの際の用紙順序判定シーケンス
【図１２】印刷対象のＭｅｄｉａＴｙｐｅがＣＢかつ、排紙設定がフェイスアップの際の用紙順序判定シーケンス
【図１３】印刷対象のＭｅｄｉａＴｙｐｅがＣＦＢの際の排紙設定の判定シーケンス
【図１４】印刷対象のＭｅｄｉａＴｙｐｅがＣＦＢかつ、排紙設定がフェイスダウンの際の用紙順序判定シーケンス
【図１５】印刷対象のＭｅｄｉａＴｙｐｅがＣＦＢかつ、排紙設定がフェイスアップの際の用紙順序判定シーケンス
【図１６】印刷対象のＭｅｄｉａＴｙｐｅがＣＦの際の排紙設定の判定シーケンス
【図１７】印刷対象のＭｅｄｉａＴｙｐｅがＣＦかつ、排紙設定がフェイスダウンの際の用紙順序判定シーケンス
【図１８】印刷対象のＭｅｄｉａＴｙｐｅがＣＦかつ、排紙設定がフェイスアップの際の用紙順序判定シーケンス
【図１９】印刷対象のＭｅｄｉａＴｙｐｅがノーカーボン紙以外の際の排紙設定の判定シーケンス
【図２０】印刷対象のＭｅｄｉａＴｙｐｅがノーカーボン紙以外かつ、排紙設定がフェイスダウンの際の用紙順序判定シーケンス
【図２１】印刷対象のＭｅｄｉａＴｙｐｅがノーカーボン紙以外かつ、排紙設定がフェイスアップの際の用紙順序判定シーケンス
【図２２】用紙順序が異なる際の警告時処理のシーケンス
【図２３】警告ＵＩの例
【図２４】設定変更ＵＩの例
【図２５】第二の実施例におけるＰＣの内部構成図
【図２６】第二の実施例における用紙順序判定のシーケンス
【図２７】第三の実施例における用紙順序判定のシーケンス
【発明を実施するための形態】
【００１２】
［実施例１］
以下、本発明に係わる実施例を添付図面に従って説明する。
【００１３】
第２図は、本発明の実施例によるプリントシステムの構成を示すブロック図である。
【００１４】
本実施例によるネットワーク上のプリントシステムは、ＬＡＮ２０３通じてＰＣ２０１とＭＦＰ２０２と接続されている。
【００１５】
ＰＣ２０１にはプリンタドライバが存在し、ＰＣの操作部から印刷ジョブの投入及び投入する印刷ジョブに対する使用する用紙種別の指定等の詳細設定が可能である。
【００１６】
ＭＦＰ２０２の外観を第３図に示す。
【００１７】
第３図において、スキャン機能及びコピー、ＦＡＸ機能で用いるでスキャナ部３０８と原稿フィーダ３０２、プリント機能及びコピー、ＦＡＸ機能で用いる印刷用の用紙を供給する複数の給紙段（３０４−３０７）有する。さらに印字し終わった用紙の排紙処理を行う複数の排紙段（３０３）、操作部であるＵＩ（３０１）を有している。
【００１８】
第４図は、本発明に適用可能なＭＦＰ２０２の構成をより詳細に説明するためのブロック図である。第４図において、４０１はシステム管理部であり、ＭＦＰとしてサポートしている各種機能及びＭＦＰ全体を管理して各種機能の制御を行っている。なおシステム管理部４０１は、図示しないＣＰＵ，ＲＡＭ，ＲＯＭを備える制御ユニットを備え、ハードディスク，ＲＯＭ等に記憶される制御プログラムを実行して、ＭＦＰ２０２の全体の処理を制御するものとする。
【００１９】
４０２は操作部であり、端末としての機能をユーザーに提供するためのユーザインタフェースとなっている。４０３は読取制御部であり、スキャナ４０４の読取り処理の制御を行う。４０５は記録制御部であり、プリンタ４０６，排紙段，給紙段、両面記録ユニット等の駆動制御を行う。
【００２０】
４０７は通信制御部であり、回線制御部４０８を介して通常のＦＡＸ送受信を制御する。
【００２１】
４０９はメモリ管理部であり、メモリ４１０を各制御部に割り当て、各種データ等の蓄積管理等を行う。
【００２２】
４１１は給紙制御部であり、記録制御部４０５と連動して給紙段からの用紙給紙の順序を含む詳細な制御を実施する。
【００２３】
４１２は給紙情報保存部であり、給紙制御部４１１の給紙制御に必要な用紙種別による給紙する順序や順序に関する条件等の情報を保存する格納部である。
【００２４】
４１３は画像処理部であり、スキャナで読み取ったデータやＦＡＸ送受信用のデータに必要な各種符号化を含む画像処理を行う。
【００２５】
４１４はＰＤＬ制御部であり、本実施形態においては、ネットワークＬＡＮを介して受け付けた印刷ジョブデータをＰＤＬ処理部用いてイメージデータに変換し、該変換されたデータは、一般的には記録制御部に渡されてプリンタ４０６から出力される。
【００２６】
４１５は外部Ｉ／Ｆ制御部であり、ＬＡＮ制御部４１６を介して、ネットワークＬＡＮ上のクライアントＰＣ２０１とデータ通信、制御をシステム管理部４０１の管理下で行う、もしくはＵＳＢ制御部４１７を介してＵＳＢ４１９で接続されたクライアントＰＣ２０１とデータ通信、制御をシステム管理部４０１の管理下で行う。
【００２７】
図５は給紙段情報部４１２に保存される給紙段用紙種別管理テーブル（５０１）である。
【００２８】
本テーブルは各給紙段（３０４−３０７）にどのような用紙種別が格納されているかを示す情報を管理する為のテーブルであり、給紙段番号と用紙種別（以降、ＭｅｄｉａＴｙｐｅと呼ぶ）の対応が示されている。
【００２９】
図６は４１２給紙段保存に保存される用紙順序管理テーブル（６０１）である。
【００３０】
本テーブルはノーカーボン紙への印刷ジョブ時、給紙順序として正しい用紙種の順序及び、順序の条件を管理する為の情報である。
【００３１】
第７図は、本発明に適用可能なＰＣ２０１の構成をより詳細に説明するためのブロック図である。
【００３２】
７０１は通信制御部であり、ＰＣ２０１内で生成する後述印刷ジョブをＬＡＮ２０３経由でＭＦＰ２０１へ投入する制御を管理する。
【００３３】
７０２は印刷ジョブ生成部であり、後述する用紙種別記憶部７０３及び用紙設定部７０３と連携して用紙種別の指定、給紙段指定、合紙挿入、排紙制御（フェイスアップ、フェイスダウン等）を指定した印刷ジョブを生成する。
【００３４】
７０３は用紙種別記憶部であり、印刷時に利用する用紙種別情報（ＣＢ，ＣＦＢ，ＣＦ，普通紙等）を記憶する領域である。
【００３５】
７０４印刷設定部は、用紙種別記憶部７０３の情報を基に印刷ジョブに給紙指定等の設定を行い印刷ジョブ生成部７０２の制御の元に印刷ジョブが生成される。
【００３６】
なおＰＣ２０１は、図示しないＣＰＵ，ＲＡＭ，ＲＯＭ，ハードディスク、ディスプレイ、キーボード、マウス等が備えられている物とする。
【００３７】
次に図２，３，４，７が示す本発明システムの一動作例について、ＰＣ２０１の制御過程を示すフローチャート図８、及びＭＦＰ２０２の制御過程を示すフローチャート図９−２２とＭＦＰ２０２が保持する管理テーブルを説明する図５，６及びＵＩ表示である図２３，２４を参照して説明する。
【００３８】
まず、クライアントＰＣ２０１はＭＦＰ２０２に送信する印刷ジョブデータをプリンタドライバで生成する。その際、ユーザーは印刷設定部７０４の制御の元に、合紙挿入の指定、フェイスアップ排紙またはフェイスダウン排紙及び用紙種別記憶部７０３の情報を用いて印刷する用紙をページ毎に給紙段または用紙種別より選択する（Ｓ８０１）。
【００３９】
給紙段で指定された場合（Ｓ−８０２）排紙制御がフェイスダウン排紙であれば（Ｓ８０３）、印刷ジョブ生成部７０２の制御の元に、昇順のページ順で且つ各ページ毎に給紙する給紙段情報を含む且つ順印刷ジョブを生成して通信制御部７０１の制御の元にＭＦＰ２０２へ送信する。
【００４０】
但し、合紙挿入が指定された場合前記印刷ジョブには各ページの間に指定され給紙段から合紙の給紙行う指定の印刷ジョブが生成される（Ｓ８０４）。
【００４１】
排紙制御がフェイスアップ排紙であれば（Ｓ８０５）、印刷ジョブ生成部７０２の制御の元に、降順のページ順（最終ページから）で且つ各ページ毎に給紙する給紙段情報を含む印刷ジョブを生成して通信制御部７０１の制御の元にＭＦＰ２０２へ送信する。但し、合紙挿入が指定された場合前記印刷ジョブには各ページの間に指定され給紙段から合紙の給紙行う指定の印刷ジョブが生成される。
【００４２】
用紙種別で指定された場合（Ｓ８０２）、排紙制御がフェイスダウン排紙であれば（Ｓ８０５）、印刷ジョブ生成部７０２の制御の元に、昇順のページ順で且つ各ページ毎に給紙する用紙種別情報を含む且つ順印刷ジョブを生成して通信制御部７０１の制御の元にＭＦＰ２０２へ送信する。但し合紙挿入が指定された場合前記印刷ジョブには各ページの間に指定された用紙種別の用紙に給紙を行う指定の印刷ジョブが生成される（Ｓ８０６）。
【００４３】
排紙制御がフェイスアップ排紙であれば（Ｓ８０５）、印刷ジョブ生成部７０２の制御の元に、降順のページ順（最終ページから）で且つ各ページ毎に給紙する用紙種別情報を含む印刷ジョブを生成して通信制御部７０１の制御の元にＭＦＰ２０２へ送信する。
【００４４】
但し合紙挿入が指定された場合前記印刷ジョブには各ページの間に指定された用紙種別の用紙の給紙を行う指定の印刷ジョブが生成される（Ｓ８０７）。
【００４５】
ＭＦＰ２０２は外部Ｉ／Ｆ制御部４１５の制御の元にＬＡＮ制御部４１６を介して上記印刷ジョブデータを受信し、主にＰＤＬ制御部４１４の制御の元にページ単位のイメージデータに変換される。前記イメージデータが記録制御部４０５の制御に元づきプリンタ４０６によりページ毎に印刷実行が行われる時、給紙制御部４１１の制御の元に、前記印刷ジョブの給紙指定が給紙段で指定されているかを判別する（Ｓ９０１）。
【００４６】
給紙段指定の場合（Ｓ９０２）、給紙制御部４１１の制御の元に給紙段用紙種別管理テーブル（５０１）からＭｅｄｉａＴｙｐｅを取得する。
【００４７】
もし給紙段指定ではない場合、記録制御部４０５と給紙制御部４１１の制御の元に前記印刷ジョブのこれから印刷するページのＭｅｄｉａＴｙｐｅを取得する。
【００４８】
次に取得されたＭｅｄｉａＴｙｐｅの種類を判別する（Ｓ９０３）。
【００４９】
ＭｅｄｉａＴｙｐｅがＣＢの場合（Ｓ９０４）、給紙制御部４１１の制御の元にフェイスダウン排紙であるかを識別する（Ｓ１００１）。
【００５０】
もし、フェイスダウンの場合（Ｓ１００２）、給紙制御部４１１の制御の元に給紙段情報部４１２に保存されている直前用紙種別情報（ＭｅｄｉａＴｙｐｅ）がＣＢまたはＣＦであるかを判別する（Ｓ１１０１）。
【００５１】
もし、何れでも場合は直前用紙種別情報（ＭｅｄｉａＴｙｐｅ）にＣＢを更新保存し（Ｓ１１０４）、そのまま印刷処理を続ける（Ｓ９０８）。
【００５２】
ＣＢまたはＣＦの場合、給紙制御部４１１の制御の元に操作部４０２に警告ＵＩ（図２３）表示する（Ｓ１２０２）。そして、給紙制御部４１１と記録制御部４０５の制御の元に警告処理（Ｓ１１０３）を行う。
【００５３】
警告処理（Ｓ１１０３）に措いては、まず印刷処理を停止する（Ｓ２２０１）。
【００５４】
ユーザーから操作部４０２通じて、ＭｅｄｉａＴｙｐｅの設定変更しない指示の場合、そのまま印刷処理を再開する（Ｓ９０８）。
【００５５】
設定変更が選択された場合（Ｓ２２０３）、給紙制御部４１１と用紙順序管理テーブル６０１より正しい用紙種別を選択示として選択ＵＩ（図２４）を表示し、選択された用紙種別をこれから印刷するＭｅｄｉａＴｙｐｅに設定して（Ｓ２２０４）選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【００５６】
もし、フェイスアップの場合（Ｓ１２０３）、給紙制御部４１１の制御の元に給紙段情報部４１２に保存されている直前用紙種別情報（ＭｅｄｉａＴｙｐｅ）がＣＢまたはノーカーボン紙以外であるかを判別する（Ｓ１２０１）。
【００５７】
もし、ＣＢまたはノーカーボン紙以外の場合は直前用紙種別情報（ＭｅｄｉａＴｙｐｅ）にＣＢを更新保存し（Ｓ１２０６）、そのまま印刷処理を続ける（Ｓ９０８）。
【００５８】
ＣＢまたはノーカーボン紙の場合、次に直前用紙種別情報（ＭｅｄｉａＴｙｐｅ）がノーカーボン用紙以外であるかをあるかを判別する（Ｓ１２０２）。
【００５９】
ノーカーボン用紙以外の場合、投入されたジョブが合紙の指定されたジョブの場合かを判別して（Ｓ１２０３）、合紙が指定されたジョブの場合の場合直前用紙種別情報（ＭｅｄｉａＴｙｐｅ）にＣＢを更新保存し（Ｓ１２０６）、そのまま印刷処理を続ける（Ｓ９０８）。
【００６０】
合紙が指定されたジョブでは無い場合、及びに直前用紙種別情報（ＭｅｄｉａＴｙｐｅ）がノーカーボン用紙以外である場合、給紙制御部４１１の制御の元に操作部４０２に警告ＵＩ（図２３）を表示する（Ｓ１２０４）。そして、給紙制御部４１１と記録制御部４０５の制御の元に警告処理（Ｓ１２０５）を行う。
【００６１】
警告処理（Ｓ１２０５）に措いては、まず印刷処理を停止する（Ｓ２２０１）。ユーザーから操作部４０２通じて、ＭｅｄｉａＴｙｐｅの設定変更しない指示の場合、そのまま印刷処理を再開する（Ｓ９０８）。
【００６２】
設定変更が選択された場合（Ｓ２２０３）、給紙制御部４１１と用紙順序管理テーブル６０１より正しい用紙種別を選択示として選択ＵＩ（図２４）を表示し、選択された用紙種別をこれから印刷するＭｅｄｉａＴｙｐｅに設定して（Ｓ２２０４）、選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【００６３】
ＭｅｄｉａＴｙｐｅがＣＦＢの場合（Ｓ９０５）、給紙制御部４１１の制御の元にフェイスダウン排紙であるかを識別する（Ｓ１３０１）。
【００６４】
もし、フェイスダウンの場合（Ｓ１３０２）、給紙制御部４１１の制御の元に給紙段情報部４１２に保存されている直前用紙種別情報（ＭｅｄｉａＴｙｐｅ）がＣＦかノーカーボン紙以外であるかを判別する（Ｓ１４０１）。
【００６５】
もしＣＦかノーカーボン紙以外では無い場合、直前用紙種別情報（ＭｅｄｉａＴｙｐｅ）をＣＦＢに更新保存し（Ｓ１４０６）、そのまま印刷処理を続ける（Ｓ９０８）。
【００６６】
ＣＦまたはノーカーボン紙以外の場合、次に直前用紙種別情報（ＭｅｄｉａＴｙｐｅ）がノーカーボン用紙以外であるかをあるかを判別する（Ｓ１４０２）。
【００６７】
ノーカーボン用紙以外の場合、投入されたジョブが合紙の指定されたジョブの場合かを判別して（Ｓ１４０３）、合紙が指定されたジョブの場合の場合直前用紙種別情報（ＭｅｄｉａＴｙｐｅ）にＣＦＢに更新保存し（Ｓ１４０６）、そのまま印刷処理を続ける（Ｓ９０８）。
【００６８】
合紙が指定されたジョブでは無い場合、及びに直前用紙種別情報（ＭｅｄｉａＴｙｐｅ）がノーカーボン用紙以外では無い場合、給紙制御部４１１の制御の元に操作部４０２に警告ＵＩ（図２３）を表示する（Ｓ１４０４）。そして、給紙制御部４１１と記録制御部４０５の制御の元に警告処理（Ｓ１４０５）を行う。
【００６９】
警告処理（Ｓ１４０５）に措いては、まず印刷処理を停止する（Ｓ２２０１）。ユーザーから操作部４０２通じて、ＭｅｄｉａＴｙｐｅの設定変更しない指示の場合、そのまま印刷処理を再開する（Ｓ９０８）。
【００７０】
設定変更が選択された場合（Ｓ２２０３）、給紙制御部４１１と用紙順序管理テーブル６０１より正しい用紙種別を選択示として選択ＵＩ（図２４）を表示し、選択された用紙種別をこれから印刷するＭｅｄｉａＴｙｐｅに設定して（Ｓ２２０４）、選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【００７１】
もし、フェイスアップの場合（Ｓ１５０３）、給紙制御部４１１の制御の元に給紙段情報部４１２に保存されている直前用紙種別情報（ＭｅｄｉａＴｙｐｅ）がＣＢかノーカーボン紙以外であるかを判別する（Ｓ１５０１）。
【００７２】
もしＣＢかノーカーボン紙以外では無い場合、直前用紙種別情報（ＭｅｄｉａＴｙｐｅ）をＣＦＢに更新保存し（Ｓ１５０６）、そのまま印刷処理を続ける（Ｓ９０８）。
【００７３】
ＣＢまたはノーカーボン紙以外の場合、次に直前用紙種別情報（ＭｅｄｉａＴｙｐｅ）がノーカーボン用紙以外であるかをあるかを判別する（Ｓ１５０２）。
【００７４】
ノーカーボン用紙以外の場合、投入されたジョブが合紙の指定されたジョブの場合かを判別して（Ｓ１５０３）、合紙が指定されたジョブの場合の場合直前用紙種別情報（ＭｅｄｉａＴｙｐｅ）にＣＦＢに更新保存し（Ｓ１５０６）、そのまま印刷処理を続ける（Ｓ９０８）。
【００７５】
合紙が指定されたジョブでは無い場合、及びに直前用紙種別情報（ＭｅｄｉａＴｙｐｅ）がノーカーボン用紙以外では無い場合、給紙制御部４１１の制御の元に操作部４０２に警告ＵＩ（図２３）を表示する（Ｓ１５０４）。そして、給紙制御部４１１と記録制御部４０５の制御の元に警告処理（Ｓ１５０５）を行う。
【００７６】
警告処理（Ｓ１５０５）に措いては、まず印刷処理を停止する（Ｓ２２０１）。ユーザーから操作部４０２通じて、ＭｅｄｉａＴｙｐｅの設定変更しない指示の場合、そのまま印刷処理を再開する（Ｓ９０８）。
【００７７】
設定変更が選択された場合（Ｓ２２０３）、給紙制御部４１１と用紙順序管理テーブル６０１より正しい用紙種別を選択示として選択ＵＩ（図２４）を表示し、選択された用紙種別をこれから印刷するＭｅｄｉａＴｙｐｅに設定して（Ｓ２２０４）、選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【００７８】
ＭｅｄｉａＴｙｐｅがＣＦの場合（Ｓ９０６）、給紙制御部４１１の制御の元にフェイスダウン排紙であるかを識別する（Ｓ１６０１）。
【００７９】
もし、フェイスダウンの場合（Ｓ１６０２）、給紙制御部４１１の制御の元に給紙段情報部４１２に保存されている直前用紙種別情報（ＭｅｄｉａＴｙｐｅ）がＣＦまたはノーカーボン紙以外であるかを判別する（Ｓ１７０１）。
【００８０】
もし、ＣＢまたはノーカーボン紙以外では無い場合は、直前用紙種別情報（ＭｅｄｉａＴｙｐｅ）をＣＦに更新保存し（Ｓ１７０６）、そのまま印刷処理を続ける（Ｓ９０８）。
【００８１】
ＣＦまたはノーカーボン紙以外の場合、次に直前用紙種別情報（ＭｅｄｉａＴｙｐｅ）がノーカーボン用紙以外であるかをあるかを判別する（Ｓ１７０２）。
【００８２】
ノーカーボン用紙以外の場合、投入されたジョブが合紙の指定されたジョブの場合かを判別して（Ｓ１７０３）、合紙が指定されたジョブの場合の場合直前用紙種別情報（ＭｅｄｉａＴｙｐｅ）にＣＦを保存し（Ｓ１７０６）、そのまま印刷処理を続ける（Ｓ９０８）。
【００８３】
合紙が指定されたジョブでは無い場合、及びに直前用紙種別情報（ＭｅｄｉａＴｙｐｅ）がノーカーボン用紙以外である場合、給紙制御部４１１の制御の元に操作部４０２に警告ＵＩ（図２３）を表示する（Ｓ１７０４）。そして、給紙制御部４１１と記録制御部４０５の制御の元に警告処理（Ｓ１７０５）を行う。
【００８４】
警告処理（Ｓ１７０５）に措いては、まず印刷処理を停止する（Ｓ２２０１）。ユーザーから操作部４０２通じて、ＭｅｄｉａＴｙｐｅの設定変更しない指示の場合、そのまま印刷処理を再開する（Ｓ９０８）。
【００８５】
設定変更が選択された場合（Ｓ２２０３）、給紙制御部４１１と用紙順序管理テーブル６０１より正しい用紙種別を選択ＵＩ（図２４）に表示し、選択された用紙種別をこれから印刷するＭｅｄｉａＴｙｐｅに設定して（Ｓ２２０４）、選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【００８６】
もし、フェイスアップの場合（Ｓ１７０３）、給紙制御部４１１の制御の元に給紙段情報部４１２に保存されている直前用紙種別情報（ＭｅｄｉａＴｙｐｅ）がＣＢまたはＣＦＢであるかを判別する（Ｓ１８０１）。
【００８７】
もし、ＣＢまたはＣＦＢでは無い場合、直前用紙種別情報（ＭｅｄｉａＴｙｐｅ）をＣＦに更新保存し（Ｓ１８０４）、そのまま印刷処理を続ける（Ｓ９０８）。
【００８８】
ＣＢまたはＣＦＢでない場合、給紙制御部４１１の制御の元に操作部４０２に警告ＵＩ（図２３）を表示する（Ｓ１８０２）。そして、給紙制御部４１１と記録制御部４０５の制御の元に警告処理（Ｓ１８０３）を行う。
【００８９】
警告処理（Ｓ１８０３）に措いては、まず印刷処理を停止する（Ｓ２２０１）。ユーザーから操作部４０２通じて、ＭｅｄｉａＴｙｐｅの設定変更しない指示の場合、そのまま印刷処理を再開する（Ｓ９０８）。
【００９０】
設定変更が選択された場合（Ｓ２２０３）、給紙制御部４１１と用紙順序管理テーブル６０１より正しい用紙種別を選択示として選択ＵＩ（図２４）を表示、選択された用紙種別をこれから印刷するＭｅｄｉａＴｙｐｅに設定して（Ｓ２２０４）、選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【００９１】
ＭｅｄｉａＴｙｐｅがノーカーボン紙以外の場合（Ｓ９０７）、給紙制御部４１１の制御の元にフェイスダウン排紙であるかを識別する（Ｓ１９０１）。
【００９２】
もし、フェイスダウンの場合（Ｓ１９０２）、給紙制御部４１１の制御の元に給紙段情報部４１２に保存されている直前用紙種別情報（ＭｅｄｉａＴｙｐｅ）がＣＢかＣＦＢであるかを判別する（Ｓ２００１）。
【００９３】
もし、ＣＢまたＣＦＢでは無い場合は直前用紙種別情報（ＭｅｄｉａＴｙｐｅ）をノーカーボン紙以外に更新保存し（Ｓ２００５）、そのまま印刷処理を続ける（Ｓ９０８）。
【００９４】
ＣＢまたはＣＦＢの場合、投入されたジョブが合紙の指定されたジョブの場合かを判別して（Ｓ２００２）、合紙が指定されたジョブの場合の場合直前用紙種別情報（ＭｅｄｉａＴｙｐｅ）をノーカーボン紙以外に更新保存し（Ｓ２００５）、そのまま印刷処理を続ける（Ｓ９０８）。
【００９５】
合紙が指定されたジョブでは無い場合、給紙制御部４１１の制御の元に操作部４０２に警告ＵＩ（図２３）を表示する（Ｓ２００３）。そして、給紙制御部４１１と記録制御部４０５の制御の元に警告処理（Ｓ２００４）を行う。
【００９６】
警告処理（Ｓ２００４）に措いては、まず印刷処理を停止する（Ｓ２２０１）。ユーザーから操作部４０２通じて、ＭｅｄｉａＴｙｐｅの設定変更しない指示の場合、そのまま印刷処理を再開する（Ｓ９０８）。
【００９７】
設定変更が選択された場合（Ｓ２２０３）、給紙制御部４１１と用紙順序管理テーブル６０１より正しい用紙種別を選択示として選択ＵＩ（図２４）を表示し、選択された用紙種別をこれから印刷するＭｅｄｉａＴｙｐｅに設定して（Ｓ２２０４）、選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【００９８】
もし、フェイスアップの場合（Ｓ１９０３）、給紙制御部４１１の制御の元に給紙段情報部４１２に保存されている直前用紙種別情報（ＭｅｄｉａＴｙｐｅ）がＣＦかＣＦＢであるかを判別する（Ｓ２１０１）。
【００９９】
もし、ＣＦまたＣＦＢでは無い場合は直前用紙種別情報（ＭｅｄｉａＴｙｐｅ）をノーカーボン紙以外に更新保存し（Ｓ２１０５）、そのまま印刷処理を続ける（Ｓ９０８）。
【０１００】
ＣＦまたはＣＦＢの場合、投入されたジョブが合紙の指定されたジョブの場合かを判別して（Ｓ２１０２）、合紙が指定されたジョブの場合の場合直前用紙種別情報（ＭｅｄｉａＴｙｐｅ）をノーカーボン紙以外に更新保存し（Ｓ２１０５）、そのまま印刷処理を続ける（Ｓ９０８）。
【０１０１】
合紙が指定されたジョブでは無い場合、給紙制御部４１１の制御の元に操作部４０２に警告ＵＩ（図２３）を表示する（Ｓ２１０３）。そして、給紙制御部４１１と記録制御部４０５の制御の元に警告処理（Ｓ２１０４）を行う。
【０１０２】
警告処理（Ｓ２１０４）に措いては、まず印刷処理を停止する（Ｓ２２０１）、ユーザーから操作部４０２通じて、ＭｅｄｉａＴｙｐｅの設定変更しない指示の場合、そのまま印刷処理を再開する（Ｓ９０８）。
【０１０３】
設定変更が選択された場合（Ｓ２０３）、給紙制御部４１１と用紙順序管理テーブル６０１より正しい用紙種別を選択示として選択ＵＩ（図２４）を表示し、選択された用紙種別をこれから印刷するＭｅｄｉａＴｙｐｅに設定して（Ｓ２２０４）、選択された前記ＭｅｄｉａＴｙｐｅを直前用紙種別情報（ＭｅｄｉａＴｙｐｅ）に更新保存する（Ｓ２２０５）。そして、印刷処理を実施する（Ｓ９０８）。
【０１０４】
前述の制御により、異なる給紙段に種類別に給紙されているノーカーボン紙に印刷する場合にＭＦＰ２０２側で簡単に用紙種別同士の順序関係を元に誤った用紙順序のジョブが投入時無駄な印刷を防止する事が可能になる。
【０１０５】
［実施例２］
本発明の第２の実施例におけるシステム構成は、第１の実施例と同様に第２図のようになっている。ただし、本実施例では、正しい用紙種別の印刷順序であるかの判定をユーザーが印刷の設定をしたタイミングでＰｒｉｎｔｅｒＤｒｉｖｅｒで判定を行うことで実現する。
【０１０６】
次に、第２の実施例の本発明を適応した場合のＰＣ２０１とＭＦＰ２０２の内部構成について説明する。
【０１０７】
図２５は、実施例２におけるＰＣ２０１の内部構成を示した図である。
【０１０８】
第２５図において、第１の実施例と異なる点は、用紙順序記憶部２５０１と用紙順序判定部２５０２が追加された点である。
【０１０９】
用紙順序記憶部２５０１と用紙順序判定部２５０２は、ＰｒｉｎｔｅｒＤｒｉｖｅｒで正しい用紙順序であるかの判定を行うために追加されたものである。
【０１１０】
用紙順序記憶部２５０１は、用紙順序管理テーブル６０１を保持し、ユーザーの設定に応じた正しい用紙順序を提供するようにテーブルを制御する。
【０１１１】
用紙順序判定部２５０２は、用紙順序記憶部２５０１からユーザーの設定に応じた正しい用紙順序を受け取り、印刷ジョブ生成部７０２の生成したジョブの内容との比較を実施する。
【０１１２】
ＭＦＰ２０２の内部構成は図４で示した本発明の実施例１と同様である。
【０１１３】
第２６図は、本実施例におけるＰＣ２０１での処理を表したフローチャートである。
【０１１４】
Ｓ２６０１において、第１の実施例と同様の用紙順序の判定を行う。なお、Ｓ２６０１で用紙順序において誤りがあった場合には、警告ＵＩ図２３はＰＣ２０１のディスプレイ上に表示される。
【０１１５】
Ｓ２６０２において、印刷ジョブ生成部７０２の生成したジョブ情報からジョブの最終頁でない場合には、そのページついてＳ２６０１の判定処理を行い、最終頁だった場合にはＳ２６０３に進む。
【０１１６】
Ｓ２６０３において、通信制御部７０１が、ＭＦＰ２０２に対して印刷ジョブの送信処理を行う。
【０１１７】
上記のように、ＰｒｉｎｔｅｒＤｒｉｖｅｒで用紙順序の判定を行うため印刷を実際に開始する前に、ＭＦＰ２０２に印刷ジョブを送信する前に用紙順序の誤りを検出することができる。
【０１１８】
［実施例３］
本発明の第３の実施例におけるシステム構成は、第１の実施例と同様に第２図のようになっている。ただし、本実施例では、正しい用紙種別の印刷順序であるか判定をＭＦＰ２０２でＲａｓｔｅｒ  Ｉｍａｇｅ  Ｐｒｏｃｅｓｓｏｒ（以下ＲＩＰ）行う際に実施することで実現する。
【０１１９】
ＰＣ２０１とＭＦＰ２０２の内部構成は、図７及び図４で示した本発明の実施例１とそれぞれ同様である。第１の実施例と異なる点は、ＭＦＰ２０２の給紙制御部４１１が行っていた正しい用紙順序であるかの判定を、本実施例ではＭＦＰ２０２のＰＤＬ制御部４１４で行っている点である。
【０１２０】
第２７図は、本実施例におけるＭＦＰでの処理を表したフローチャートである。
【０１２１】
Ｓ２７０１において、対象のページのＲＩＰ処理を行う。
【０１２２】
Ｓ２７０２において、第１の実施例と同様の用紙順序の判定を行う。
【０１２３】
Ｓ２７０３において、印刷ジョブ生成部７０２の生成したジョブ情報からジョブの最終頁でない場合には、そのページついてＳ２７０１のＲＩＰ処理を次のページ対して行い、最終頁だった場合にはＳ２７０４に進む。
【０１２４】
Ｓ２７０４において、実際の印刷を開始する。
【０１２５】
上記のように、印刷前に用紙順序の判定が行えるため、他者の開発したＰｒｉｎｔｅｒＤｒｉｖｅｒによって投入するようなシステムであっても実際の印刷前に用紙順序の誤りを検出することができる。
【符号の説明】
【０１２６】
２０１  ＰＣ
２０２  ＭＦＰ
２０３  ＬＡＮ
【図１】
2013208822.tif 000003
【図２】
2013208822.tif 000004
【図３】
2013208822.tif 000005
【図４】
2013208822.tif 000006
【図５】
2013208822.tif 000007
【図６】
2013208822.tif 000008
【図７】
2013208822.tif 000009
【図８】
2013208822.tif 000010
【図９】
2013208822.tif 000011
【図１０】
2013208822.tif 000012
【図１１】
2013208822.tif 000013
【図１２】
2013208822.tif 000014
【図１３】
2013208822.tif 000015
【図１４】
2013208822.tif 000016
【図１５】
2013208822.tif 000017
【図１６】
2013208822.tif 000018
【図１７】
2013208822.tif 000019
【図１８】
2013208822.tif 000020
【図１９】
2013208822.tif 000021
【図２０】
2013208822.tif 000022
【図２１】
2013208822.tif 000023
【図２２】
2013208822.tif 000024
【図２３】
2013208822.tif 000025
【図２４】
2013208822.tif 000026
【図２５】
2013208822.tif 000027
【図２６】
2013208822.tif 000028
【図２７】
2013208822.tif 000029